【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
画像の色のダイナミックレンジを拡張する色ダイナミックレンジ拡張モジュールであって、前記色は、輝度成分をクロミナンス成分から分離する色空間において表される、前記色拡張モジュールにおいて、
前記輝度成分にロー・パス・フィルタをかけるロー・パス・フィルタと、
ロー・パス・フィルタをかけられた輝度値のみの第１展開関数の予め計算された値を記憶する第１ルック・アップ・テーブルと、
輝度値のみの第２展開関数の予め計算された値を記憶する第２ルック・アップ・テーブルと、
拡張する色の入力された輝度値に対応する前記第２ルック・アップ・テーブルの出力に、前記入力された輝度値に関連する入力されたロー・パス・フィルタをかけられた輝度値に対応する前記第１ルック・アップ・テーブルの出力を乗じるよう構成されたプロセッサと、
を有する色拡張モジュール。
【請求項２】
前記第１展開関数は、指数関数及び第１詳細関数を用いて指数関数的にスケーリングされた前記ロー・パス・フィルタをかけられた輝度成分として定義され、前記指数関数及び前記第１詳細関数の両方がそれ自体、前記ロー・パス・フィルタをかけられた輝度成分のみの関数である、
請求項１に記載の色ダイナミックレンジ拡張モジュール。
【請求項３】
前記第２展開関数は、それ自体が前記輝度成分のみの関数である第２詳細関数を用いて指数関数的にスケーリングされた前記輝度成分として定義される、
請求項１又は２に記載の色ダイナミックレンジ拡張モジュール。
【請求項４】
請求項１乃至３のうちいずれか一項に記載の色ダイナミックレンジ拡張モジュールを組み込む電子デバイス。
【請求項５】
テレビ受像機、モバイルデバイス、通信デバイス、ゲーム機、タブレット、スマートフォン、ラップトップ、カメラ、符号化チップ、サーバから成るグループから選択される
請求項４に記載の電子デバイス。
【請求項６】
画像の色のダイナミックレンジを拡張する色拡張方法であって、前記色は、輝度成分をクロミナンス成分から分離する色空間において表される、前記色拡張方法において、
前記輝度成分にロー・パス・フィルタをかけることと、
それ自体が前記ロー・パス・フィルタをかけられた輝度成分の関数である指数関数を用いて、前記ロー・パス・フィルタをかけられた輝度成分を指数関数的にスケーリングすることによって、前記輝度成分の値範囲を拡張することと、
を有する色拡張方法。
【請求項７】
前記輝度成分にハイ・パス・フィルタをかけることと、
それ自体が前記ロー・パス・フィルタをかけられた輝度成分の関数である詳細関数を用いて指数関数的に前記ハイ・パス・フィルタをかけられた輝度成分をスケーリングすることと、
スケーリングされたハイ・パス・フィルタをかけられた輝度成分によって、前記スケーリングされたロー・パス・フィルタをかけられた輝度成分を重み付けすることと、
を更に有する、
請求項６に記載の色のダイナミックレンジを拡張する方法。
【請求項８】
前記ハイ・パス・フィルタをかけることは、前記輝度成分を、前記ロー・パス・フィルタをかけられた輝度成分で除することによって得られる、
請求項７に記載の色のダイナミックレンジを拡張する方法。
【請求項９】
前記指数マップは、前記ロー・パス・フィルタをかけられた輝度成分の展開関数に従って計算され、
前記重み付けされたロー・パス・フィルタをかけられた輝度成分は、
前記展開関数を用いて、且つ、更に、前記ロー・パス・フィルタをかけられた輝度成分のみの第１詳細関数を用いて指数関数的にスケーリングされた前記ロー・パス・フィルタをかけられた輝度成分の、及び
前記輝度成分のみの第２詳細関数を用いて指数関数的にスケーリングされた前記輝度成分の
積である、
請求項６乃至８のうちいずれか一項に記載の色のダイナミックレンジを拡張する方法。
【請求項１０】
クロミナンス拡張係数によって前記画像の少なくとも１つのクロミナンス成分の値範囲を拡張すること
を更に有する
請求項６乃至９のうちいずれか一項に記載の色のダイナミックレンジを拡張する方法。
【請求項１１】
前記クロミナンス拡張係数は、前記輝度成分によって正規化された前記拡張された輝度成分に対応する、
請求項１０に記載の色のダイナミックレンジを拡張する方法。
【請求項１２】
前記クロミナンス拡張係数は、前記輝度成分によって正規化された前記拡張された輝度成分によってスケーリングされた前記指数マップの関数である、
請求項１０に記載の色のダイナミックレンジを拡張する方法。
【請求項１３】
前記クロミナンス拡張係数は、前記指数マップの又は前記ロー・パス・フィルタをかけられた輝度成分の関数であり、該関数は、前記ロー・パス・フィルタをかけられた輝度成分によって正規化された前記拡張された輝度成分によってスケーリングされる、
請求項１０に記載の色のダイナミックレンジを拡張する方法。
【請求項１４】
コンピューティング・デバイスで実行されるときに請求項６乃至１３のうちいずれか一項に記載の色拡張方法のステップを実行するプログラムコードの命令を担持する非一時的な記憶媒体。
【手続補正２】
【補正対象書類名】明細書
【補正対象項目名】００９２
【補正方法】変更
【補正の内容】
【００９２】
実例となる実施形態が添付の図面を参照して本明細書で記載されてきたが、本原理は、それらの厳密な実施形態に制限されず、様々な変更及び改良が、本原理の適用範囲から逸脱することなしに、当業者によってそれらにおいて達成され得る点が理解されるべきである。全てのそのような変更及び改良は、添付の特許請求の範囲において示されている本原理の適用範囲内に含まれるよう意図される。
上述の実施形態の一部又は全部は、以下の付記のように記載され得るが、以下には限定されない。
（付記１）
画像の色を拡張する色拡張モジュール（７００）であって、色は、輝度成分をクロミナンス成分から分離する色空間において表される、色拡張モジュールにおいて、
輝度成分にロー・パス・フィルタをかけるロー・パス・フィルタと、
ロー・パス・フィルタをかけられた輝度値のみの第１展開関数の予め計算された値を記憶する第１ルック・アップ・テーブル（７１０）と、
輝度値のみの第２展開関数の予め計算された値を記憶する第２ルック・アップ・テーブル（７２０）と、
拡張する色の入力された輝度値に対応する第２ルック・アップ・テーブルの出力に、入力された輝度値に関連する入力されたロー・パス・フィルタをかけられた輝度値に対応する第１ルック・アップ・テーブルの出力を乗じるよう構成されたプロセッサ（７４０，７６０）と
を有する色拡張モジュール。
（付記２）
第１展開関数は、指数関数及び第１詳細関数ｄ１（Ｙｌｏｗ）を用いて指数関数的にスケーリングされたロー・パス・フィルタをかけられた輝度成分として定義され、指数関数及び第１詳細関数の両方がそれ自体、ロー・パス・フィルタをかけられた輝度成分のみの関数である、
付記１に記載の色拡張モジュール。
（付記３）
第２展開関数は、それ自体が輝度成分のみの関数である第２詳細関数ｄ２（Ｙ）を用いて指数関数的にスケーリングされた輝度成分として定義される、
付記１又は２に記載の色拡張モジュール。
（付記４）
付記１乃至３のうちいずれか一項に記載の色拡張モジュールを組み込む電子デバイス。
（付記５）
テレビ受像機、モバイルデバイス、通信デバイス、ゲーム機、タブレット、スマートフォン、ラップトップ、カメラ、符号化チップ、サーバから成るグループから選択される
付記４に記載の電子デバイス。
（付記６）
画像の色を拡張する色拡張方法であって、色は、輝度成分をクロミナンス成分から分離する色空間において表される、色拡張方法において、
輝度成分にロー・パス・フィルタをかけることと、
指数マップを用いて指数関数的にロー・パス・フィルタをかけられた輝度成分をスケーリングすることによって、輝度成分の値範囲を拡張することと
を有する色拡張方法。
（付記７）
輝度成分にハイ・パス・フィルタをかけることと、
詳細マップを用いて指数関数的に前記ハイ・パス・フィルタをかけられた輝度成分をスケーリングすることと、
スケーリングされたハイ・パス・フィルタをかけられた輝度成分によって、スケーリングされたロー・パス・フィルタをかけられた輝度成分を重み付けすることと
を更に有する、
付記６に記載の色拡張方法。
（付記８）
ハイ・パス・フィルタをかけることは、輝度成分をロー・パス・フィルタをかけられた輝度成分で除することによって得られる、
付記７に記載の色拡張方法。
（付記９）
指数マップは、ロー・パス・フィルタをかけられた輝度成分の展開関数に従って計算され、
重み付けされたロー・パス・フィルタをかけられた輝度成分（Ｙｅｘｐ）は、
展開関数Ｅ（Ｙｌｏｗ）を用いて、且つ、更に、ロー・パス・フィルタをかけられた輝度成分のみの第１詳細関数ｄ１（Ｙｌｏｗ）を用いて指数関数的にスケーリングされた前記ロー・パス・フィルタをかけられた輝度成分（Ｙｌｏｗ（Ｅ（Ｙｌｏｗ）−ｄ（Ｙｌｏｗ）））の、及び
輝度成分のみの第２詳細関数ｄ２（Ｙ）を用いて指数関数的にスケーリングされた輝度成分（Ｙｄ（Ｙ））の
積である、
付記６乃至８のうちいずれか一項に記載の色拡張方法。
（付記１０）
クロミナンス拡張係数によって前記画像の少なくとも１つのクロミナンス成分の値範囲を拡張すること
を更に有する
付記６乃至９のうちいずれか一項に記載の色拡張方法。
（付記１１）
クロミナンス拡張係数は、輝度成分によって正規化された拡張された輝度成分に対応する、
付記１０に記載の色拡張方法。
（付記１２）
クロミナンス拡張係数は、輝度成分によって正規化された拡張された輝度成分によってスケーリングされた指数マップの関数である、
付記１０に記載の色拡張方法。
（付記１３）
クロミナンス拡張係数は、指数マップの又はロー・パス・フィルタをかけられた輝度成分の関数であり、関数は、ロー・パス・フィルタをかけられた輝度成分によって正規化された拡張された輝度成分によってスケーリングされる、
付記１０に記載の色拡張方法。
（付記１４）
コンピューティング・デバイスで実行されるときに付記６乃至１３のうちいずれか一項に記載の色拡張方法のステップを実行するプログラムコードの命令を担持する非一時的な記憶媒体。